(57)【要約】【課題】学習机の机上棚の背面に、照明具を支持するサポート部材を簡単に取付けることができるとともに、サポート部材そのものを簡単に高さ調節可能することができるサポート部材の支持装置を提供する。【解決手段】垂直な固定部の上下に取付けた複数の保持部材７に高さ調節可能にサポート部材４を装着してなるサポート部材の支持装置であって、保持部材は一端が連続し且つ他端が切断したサポート部材を取り囲む挟持部５３と、挟持部の連続側に設けた固定部へネジ止めする固定片５４と、挟持部の切断側に設けた固定部へネジ止めし且つサポート部材を挟持する一対の締着片５５とを有し、サポート部材の側面に形成した縦長溝５６に少なくとも一つの保持部材の挟持部に突設した突起５７を上下スライド可能に係合し、サポート部材の上下高さ調節範囲を規定してなる。【選択図】        図８
2006351548.tif 000002
【特許請求の範囲】
【請求項１】
垂直な固定部の上下に取付けた複数の保持部材に高さ調節可能にサポート部材を装着してなるサポート部材の支持装置であって、前記保持部材は一端が連続し且つ他端が切断した前記サポート部材を取り囲む挟持部と、該挟持部の連続側に設けた前記固定部へネジ止めする固定片と、該挟持部の切断側に設けた前記固定部へネジ止めし且つ前記サポート部材を挟持する一対の締着片とを有し、前記サポート部材の側面に形成した縦長溝に少なくとも一つの前記保持部材の挟持部に突設した突起を上下スライド可能に係合し、前記サポート部材の上下高さ調節範囲を規定してなることを特徴とするサポート部材の支持装置。
【請求項２】
前記保持部材は合成樹脂製で作製し、前記挟持部は内形が前記サポート部材の外形と略一致し且つ前後幅を若干小さく設定し、前記挟持部、固定片及び一方の締着片の外面を平坦面とし、前記固定部として机上棚の背板に当接する取付面を形成している請求項１記載のサポート部材の支持装置。
【請求項３】
前記保持部材は、前記固定片側から前後に分かれ、一方が固定側となり、他方が可撓側となって挟持部が構成され、該挟持部の固定側と可撓側とにそれぞれ互いに重合する一対の締着片を形成し、前記固定片と両締着片には取付孔が形成されており、取付ネジで前記固定部として机上棚の背板に取付けると同時に、前記挟持部で前記サポート部材を挟持して取付位置を設定する請求項１又は２記載のサポート部材の支持装置。
【請求項４】
前記サポート部材は、金属製の中空パイプで作製した長尺部材であり、内部に合成樹脂製の案内部材を装着して構成し、前記サポート部材を切欠して前記縦長溝を形成するとともに、前記案内部材の側面にリブを突設し、該リブを縦長溝の内周に密着させて位置させ、該リブの内部に形成した縦長開口に、前記保持部材の突起を上下スライド可能に係合してなる請求項１〜３何れかに記載のサポート部材の支持装置。
【発明の詳細な説明】
【技術分野】
【０００１】
本発明は、サポート部材の支持装置に係わり、更に詳しくは例えば机等の固定部に取付けたサポート部材で照明具を高さ調節可能に支持する支持装置に関するものである。
【背景技術】
【０００２】
従来、学習机の天板縁部や机上棚の背面にサポート部材を取付け、該サポート部材で照明具を支持した照明装置は各種提供されている。
【０００３】
ここで、天板縁部にサポート部材を取付けるタイプの照明装置は、該サポート部材の下端に設けたクランプ構造の取付部材で天板縁部を上下から挟持して取付けるものが一般的である。そして、前記サポート部材の上端部に照明具を角度変更可能に設けて、照射状態を変更できるようにしているが、サポート部材そのものを高さ調節して照明具の高さを変更できるようにしたものはなかった。
【０００４】
また、机上棚の背面にサポート部材を取付けるタイプの照明装置は、該サポート部材の上端部にアームを介して照明具を取付け、机上棚の背板開放部から照明具を前方に突出させた構造のものが一般的である。この場合、机上棚の背板に対するサポート部材の取付位置を変更すれば、照明具の高さを調節できるものの、取付位置の変更作業中にサポート部材が不意に落下して照明具に損傷を与える等の問題があり、その高さ調節は簡単にはできないものであった。
【発明の開示】
【発明が解決しようとする課題】
【０００５】
本発明が前述の状況に鑑み、解決しようとするところは、学習机の机上棚の背面に、照明具を支持するサポート部材を簡単に取付けることができるとともに、サポート部材そのものを簡単に高さ調節可能することができるサポート部材の支持装置を提供する点にある。
【課題を解決するための手段】
【０００６】
本発明は、前述の課題解決のために、垂直な固定部の上下に取付けた複数の保持部材に高さ調節可能にサポート部材を装着してなるサポート部材の支持装置であって、前記保持部材は一端が連続し且つ他端が切断した前記サポート部材を取り囲む挟持部と、該挟持部の連続側に設けた前記固定部へネジ止めする固定片と、該挟持部の切断側に設けた前記固定部へネジ止めし且つ前記サポート部材を挟持する一対の締着片とを有し、前記サポート部材の側面に形成した縦長溝に少なくとも一つの前記保持部材の挟持部に突設した突起を上下スライド可能に係合し、前記サポート部材の上下高さ調節範囲を規定してなるサポート部材の支持装置を構成した。
【０００７】
ここで、前記保持部材は合成樹脂製で作製し、前記挟持部は内形が前記サポート部材の外形と略一致し且つ前後幅を若干小さく設定し、前記挟持部、固定片及び一方の締着片の外面を平坦面とし、前記固定部として机上棚の背板に当接する取付面を形成していることが好ましい。
【０００８】
更に具体的には、前記保持部材は、前記固定片側から前後に分かれ、一方が固定側となり、他方が可撓側となって挟持部が構成され、該挟持部の固定側と可撓側とにそれぞれ互いに重合する一対の締着片を形成し、前記固定片と両締着片には取付孔が形成されており、取付ネジで前記固定部として机上棚の背板に取付けると同時に、前記挟持部で前記サポート部材を挟持して取付位置を設定するのである。
【０００９】
そして、前記サポート部材は、金属製の中空パイプで作製した長尺部材であり、内部に合成樹脂製の案内部材を装着して構成し、前記サポート部材を切欠して前記縦長溝を形成するとともに、前記案内部材の側面にリブを突設し、該リブを縦長溝の内周に密着させて位置させ、該リブの内部に形成した縦長開口に、前記保持部材の突起を上下スライド可能に係合してなることがより好ましい。
【発明の効果】
【００１０】
以上にしてなる請求項１に係る発明のサポート部材の支持装置は、垂直な固定部の上下に取付けた複数の保持部材に高さ調節可能にサポート部材を装着してなるサポート部材の支持装置であって、前記保持部材は一端が連続し且つ他端が切断した前記サポート部材を取り囲む挟持部と、該挟持部の連続側に設けた前記固定部へネジ止めする固定片と、該挟持部の切断側に設けた前記固定部へネジ止めし且つ前記サポート部材を挟持する一対の締着片とを有し、前記サポート部材の側面に形成した縦長溝に少なくとも一つの前記保持部材の挟持部に突設した突起を上下スライド可能に係合し、前記サポート部材の上下高さ調節範囲を規定してなるので、垂直な固定部に保持部材をネジ止めすると同時に、挟持部でサポート部材を挟持して取付けることができ、一方のネジを緩めるだけでサポート部材の高さを簡単に調節することができ、しかも縦長溝に突起が上下スライド可能に係合しているので、高さ調節中に不意にサポート部材が落下することもないのである。
【００１１】
請求項２、３によれば、固定部として机上棚の背板に、保持部材の取付面を当接した状態で、固定片と両締着片をネジ止めすることにより、サポート部材を確実に挟持部で保持することができ、また取付状態も安定である。
【００１２】
請求項４によれば、縦長溝は、金属製のサポート部材を切欠して形成するが、サポート部材の内部に固定する案内部材の側面に形成したリブを、縦長溝の内周に密着させて位置させているので、縦長溝５６の溝内の切断縁を覆うことができ、またリブの内部に形成した縦長開口に保持部材の突起を上下スライド可能に係合するので、保持部材を合成樹脂製で作製した場合でも突起が損傷することがないのである。
【発明を実施するための最良の形態】
【００１３】
次に本発明の実施の形態を添付図面に基づき更に詳細に説明する。図１は参考発明に係る実施形態、図２は本発明に係る実施形態を示し、図中符号１は学習机等の天板、２は机上棚、３は照明装置、４はサポート部材、５は支持部材、６は取付部材、７は保持部材をそれぞれ示している。本実施形態では、サポート部材４で照明具８を支持して全体として照明装置３を構成する例に基づいて説明するが、本発明はこの実施形態に限定されるものではなく、照明具８の代わりに電話台、書見台、ペントレー等の各種の机回りで使用するオプションの支持用として利用することが可能である。更に、一般的な物品を支持する目的にも転用可能である。
【００１４】
先ず、本発明と共通の構成が多い参考発明に係るサポート部材の支持装置を図１、図３〜図７に基づいて説明する。参考発明は、天板１等の固定部に取付けた支持部材５に高さ調節可能にサポート部材４を挿着してなるサポート部材の支持装置であって、上下方向に延びた長尺のサポート部材４の下部を、上端が開放した中空の支持部材５に上下スライド可能に嵌挿し、前記サポート部材４の内部に螺孔１０を有する締着部９を設けるとともに、該螺孔１０に対応する側面に通孔１１を形成し、前記支持部材５の側面であって前記締着部９に対応する位置に縦長のスリット孔１２を形成し、該スリット孔１２の両側縁に外側から係止した押え部材１３の中央部に貫通させた調節ネジ１４を前記締着部９の螺孔１０に螺合させたものである。
【００１５】
更に、前記押え部材１３に前記スリット孔１２内に進入する突片１５を形成し、前記サポート部材４の内部に該突片１５を受け入れて当該押え部材１３の姿勢を維持する係合部１６を形成している。
【００１６】
ここで、前記支持部材５は、取付部材６を介して前記天板１等の固定部に取付けられ、該取付部材６の上端に前記支持部材５を固定するとともに、該取付部材６に立設した補強杆１７を前記サポート部材４の内部に固定した案内部材１８に上下スライド可能に保持し、該案内部材１８にナットを保持して前記締着部９としている。
【００１７】
更に詳しく各部を説明する。前記サポート部材４は、金属製の中空パイプで作製した断面略Ｄ字形の長尺部材であり、内部に合成樹脂製の前記案内部材１８を装着して構成する。前記案内部材１８は、前記サポート部材４の平面部４Ａにネジ止めして固定するベース部材１９と、該ベース部材１９に沿って両側に固定する一対の補助部材２０，２０とからなり、前記サポート部材４の平面部４Ａに形成した取付孔２１，…に外部から挿入したネジ２１Ａで前記ベース部材１９と補助部材２０，２０とを同時に取付けている。ここで、前記ベース部材１９の下端には前記サポート部材４の下端を閉止するフランジ部２２を形成するとともに、該フランジ部２２の中央部に前記補強杆１７を挿通する挿通孔２３を形成し、更に該挿通孔２３に連続するように断面半円状の保持溝２４を形成し、前記取付孔２１，…に対応する位置には孔２５，…を形成している。また、前記補助部材２０は、前記サポート部材４の保持溝２４に沿って凹凸嵌合可能な形状となっており、タッピンネジからなる前記ネジ２１Ａを螺合する取付筒２６，…を形成し、更に前記保持溝２４とともに、前記補強杆１７をスライド可能に保持する円弧溝２７を形成している。
【００１８】
また、前記サポート部材４の下端部側面に形成した通孔１１に対応する前記ベース部材１９には、前記締着部９としてのナットを保持する嵌合部２８を形成する一方、前記補助部材２０には嵌合部２８に嵌合したナット９を挟持する保持片２９を形成している。また、前記ベース部材１９の嵌合部２８と前記フランジ部２２との間には、前記押え部材１３の突片１５を受け入れる前記係合部１６として側方へ開放した間隙を形成し、該係合部１６内に突片１５が挿入された状態では、前記押え部材１３が回転せずに側方への平行移動のみが許容されるのである。
【００１９】
また、前記支持部材５は、合成樹脂製で作製した中空部材であり、上端が開放し、底面部３０を有する形状で、側面には下部から上端へ連側した前記スリット孔１２を形成したものである。更に、前記支持部材５の内面には、前記サポート部材４を上下スライド可能に支持するための縦リブ３１，…が複数突設され、また前記底面部３０の中央部には前記補強杆１７の下端部を挿通する挿着孔３２とその上面周囲には段落ち溝３３を形成している。
【００２０】
また、前記取付部材６は、上面に前記支持部材５を固定するとともに、前記補強杆１７を立設し、また天板１の縁部に着脱可能に取付けるクランプ部材３４を備えている。更に詳しくは、前記取付部材６は、合成樹脂製のカバー部材３５の内部に金属製の連結部材３６を配し、該連結部材３６の下面に同じく金属製のクランプ部材３４をネジ止めした構造である。尚、前記連結部材３６とクランプ部材３４は、一体的に形成しても良い。
【００２１】
次に、前記支持部材５を取付部材６に固定し、更に前記補強杆１７を立設する構造を説明する。先ず、前記支持部材５を取付部材６の接合部外周は、凹凸嵌合する形状となっており、更に前記支持部材５の底面部３０の下面に突設した二つの筒脚３７，３７を前記カバー部材３５の上面部３８に形成した孔３９，３９に貫通させ、前記連結部材３６の上面に下方から挿通させたネジ４０を筒脚３７に螺合する。更に、前記補強杆１７は、下端部に螺軸４１を形成するとともに、該螺軸４１の上端に鍔部４２を突設したものであり、この螺軸４１を前記支持部材５の内部から底面部３０の挿着孔３２を貫通させるとともに、前記カバー部材３５の上面部３８の中央部に形成した挿着孔４３と前記連結部材３６の上面に形成した開口４４とに貫通し、その下面側にナット４５を螺合して各部材を一体化する。この際、前記鍔部４２は段落ち溝３３内に位置する。尚、前記クランプ部材３４の構造は、従来から公知の構造を採用することができ、本発明では構造限定は不要である。
【００２２】
そして、前記支持部材５の内部に前記サポート部材４の下部を上方から挿入し、側方から前記押え部材１３の突片１５を、前記スリット孔１２を通して前記係合部１６に挿入するとともに、押え部材１３の両側部を前記スリット孔１２の孔縁に係止するとともに、該押え部材１３の中央部に形成した孔４６に調節ネジ１４を挿通し、前記スリット孔１２からサポート部材４の通孔１１を通して内部の締着部９（ナット）に螺合し、前記サポート部材４と支持部材５の側面同士を押え部材１３と締着部９とで挟持して、該サポート部材４を所定高さで固定するのである。そして、前記サポート部材４の高さを調節するには、前記調節ネジ１４を緩めた状態で支持部材５に対してサポート部材４を上下方向にスライド移動させ、再度前記調節ネジ１４を締め付けるのである。ここで、前記調節ネジ１４を緩めても、突片１５が係合部１６に係合しているので、当該押え部材１３が回転したり、また調節ネジ１４を外してしまっても落下することがなく、所定位置に姿勢が維持されるのである。図６は、前記サポート部材４を最も下方に高さ設定した状態を示し、図７は最も上方に高さ設定した状態を示している。
【００２３】
また、前記支持部材５のスリット孔１２の外側孔縁部に沿って突条部４７，４７が形成されており、金属製の前記押え部材１３の両側縁に両突条部４７，４７を抱き込んで前記スリット孔１２の広がりを規制する規制片４８，４８を折曲形成するとともに、上下縁に前記スリット孔１２内に位置する補強片４９，４９を折曲形成している。ここで、前記突片１５は、前記下方の補強片４９の中央部に延設している。尚、本実施形態では、前記調節ネジ１４を挿通するための通孔１１は、前記突片１５も同時に挿通できるように下方に延び、下端を開放したものとしているが、調節ネジ１４用の通孔１１と突片１５の通孔を別々に形成しても良い。
【００２４】
また、前記サポート部材４の下部側面であって、前記押え部材１３を装着する位置に近接した上部に、照明具８へ電源を供給するコード５０を該サポート部材４の内部に引き込むためのブッシュ５１を取付けてあり、当該ブッシュ５１も前記スリット孔１２内で上下に移動可能となっている。
【００２５】
次に、本発明に係るサポート部材の支持装置を図２及び図８に基づいて説明する。本発明では、前述の支持部材５及び取付部材６は使用しないで、机上棚２の背板５２の背面に保持部材７，７を用いて前記サポート部材４を高さ調節可能に取付けるようにしている。
【００２６】
つまり、本発明は、机上棚２の背板５２等の垂直な固定部の上下に取付けた複数の保持部材７，７に高さ調節可能にサポート部材４を装着してなるサポート部材の支持装置であって、前記保持部材７は一端が連続し且つ他端が切断した前記サポート部材４を取り囲む挟持部５３と、該挟持部５３の連続側に設けた前記固定部へネジ止めする固定片５４と、該挟持部５３の切断側に設けた前記固定部へネジ止めし且つ前記サポート部材４を挟持する締着片５５，５５とを有し、前記サポート部材４の側面に形成した縦長溝５６に少なくとも一つの前記保持部材７の挟持部５３に突設した突起５７を上下スライド可能に係合したものである。
【００２７】
更に詳しくは、前記保持部材７の挟持部５３は、内形が前記サポート部材４の外形と略一致し且つ前後幅を若干小さく設定している。また、合成樹脂製で作製した前記保持部材７は、前記背板５２に当接する取付面５８を有し、該取付面５８は前記挟持部５３、固定片５４及び一方の締着片５５の外面を平坦面として形成している。また、前記固定片５４側から前後に分かれ、一方が前記サポート部材４の円弧部４Ｂに当接する固定側となり、他方が平面部４Ａに当接する可撓側となって挟持部５３が構成され、該挟持部５３の固定側と可撓側とにそれぞれ互いに重合する一対の締着片５５，５５を形成している。前記固定片５４と両締着片５５，５５には取付孔５９，５９が形成されており、取付ネジ６０，６０で前記背板５２に取付けると同時に、前記挟持部５３で前記サポート部材４を挟持して取付位置を設定する。また、一方の前記保持部材７の挟持部５３であって、内面側に突起５７を突設し、該突起５７を前記サポート部材４の平面部４Ａに形成した縦長溝５６にスライド可能に嵌合し、当該サポート部材４の上下高さ調節範囲を規定している。
【００２８】
また、前記縦長溝５６は、前記サポート部材４の平面部４Ａを切欠して形成するが、該縦長溝５６の溝内の切断縁を覆うために、前記案内部材１８を構成するベース部材１９の側面にリブ６１を突設し、該リブ６１を縦長溝５６の内周に密着させて位置させている。また、前記ベース部材１９のリブ６１の内部は、縦長開口６２を形成し、厳密には前記保持部材７の突起５７が該縦長開口６２内に嵌合するのである。
【００２９】
そして、図２に示すように、机上棚１の背板５２の背面に前記保持部材７，７で取付けた前記サポート部材４の高さを調節するには、締着片５５側の取付ネジ６０を緩めた状態で該サポート部材４を上下方向にスライド移動させ、所定の高さで緩めた取付ネジ６０を再度締め付けるのである。ここで、前記突起５７は、常に縦長溝５６、即ち縦長開口６２内に嵌合しているので、サポート部材４が不意に落下する恐れはないのである。
【００３０】
最後に、前記照明装置３は、前記サポート部材４と照明具８とを組合わせて構成することができる。詳しくは、図１、図２、図９及び図１０に示すように、前記サポート部材４の上端に、伸縮可能に内外二重杆となった水平なアーム６３の一端を垂直な回転軸６４にて水平回動可能に取付け、該アーム６３の伸縮部に第１連結部材６５を垂直な回転軸６６にて水平回動可能に取付け、更に該第１連結部材６５の前方に第２連結部材６７を前後に配した水平な回転軸６８にて垂直回動可能に取付け、更に該第２連結部材６７の前方に前記照明具８の後部を水平な回転軸６９にて上下方向に首振り可能に取付けている。つまり、前記サポート部材４に対して前記照明具８を４軸の回動部と１軸の伸縮部とで連結し、該照明具８の向きを高い自由度で調節することができる。図１は、前記サポート部材４を支持部材５及び取付部材６を介して天板１の後縁又は側縁や棚板の前縁等に立起状態で取付け、照明具８にて机上を照らすようにした構成を示している。また、図２は、前記サポート部材４を机上棚２の背板５２の背面に垂直に取付け、該背板５２の開口部７０からアーム６３を前方へ引き出し、その前方に位置する照明具８にて机上を照らすようにした構成を示している。
【図面の簡単な説明】
【００３１】
【図１】参考発明の実施形態を示す部分斜視図である。
【図２】本発明の実施形態を示す部分斜視図である。
【図３】参考発明の要部を一部破断して示した分解斜視図である。
【図４】同じくサポート部材の内部に設ける案内部材と押え部材との関係を示す部分斜視図である。
【図５】同じくサポート部材と支持部材の嵌合部分の断面を示し、（ａ）は押え部材を設けた部分の横断面図、（ｂ）はコードを装着した部分の横断面図である。
【図６】同じくサポート部材を最も低く設定した状態の縦断面図である。
【図７】同じくサポート部材を最も高く設定した状態の縦断面図である。
【図８】本発明の要部を一部破断して示した分解斜視図である。
【図９】本発明を用いて構成した照明装置の上部の簡略縦断面図である。
【図１０】同じく照明装置の上部の簡略側面図である。
【符号の説明】
【００３２】
１  天板                ２  机上棚
３  照明装置            ４  サポート部材
４Ａ  平面部            ４Ｂ  円弧部
５  支持部材            ６  取付部材
７  保持部材            ８  照明具
９  締着部（ナット）    １０  螺孔
１１  通孔              １２  スリット孔
１３  押え部材          １４  調節ネジ
１５  突片              １６  係合部
１７  補強杆            １８  案内部材
１９  ベース部材        ２０  補助部材
２１  取付孔            ２１Ａ  ネジ
２２  フランジ部        ２３  挿通孔
２４  保持溝            ２５  孔
２６  取付筒            ２７  円弧溝
２８  嵌合部            ２９  保持片
３０  底面部            ３１  縦リブ
３２  挿着孔            ３３  段落ち溝
３４  クランプ部材      ３５  カバー部材
３６  連結部材          ３７  筒脚
３８  上面部            ３９  孔
４０  ネジ              ４１  螺軸
４２  鍔部              ４３  挿着孔
４４  開口              ４５  ナット
４６  孔                ４７  突条部
４８  規制片            ４９  補強片
５０  コード            ５１  ブッシュ
５２  背板              ５３  挟持部
５４  固定片            ５５  締着片
５６  縦長溝            ５７  突起
５８  取付面            ５９  取付孔
６０  取付ネジ          ６１  リブ
６２  縦長開口          ６３  アーム
６４  回転軸            ６５  第１連結部材
６６  回転軸            ６７  第２連結部材
６８  回転軸            ６９  回転軸
７０  開口部
【図１】
2006351548.tif 000003
【図２】
2006351548.tif 000004
【図３】
2006351548.tif 000005
【図４】
2006351548.tif 000006
【図５】
2006351548.tif 000007
【図６】
2006351548.tif 000008
【図７】
2006351548.tif 000009
【図８】
2006351548.tif 000010
【図９】
2006351548.tif 000011
【図１０】
2006351548.tif 000012